(57)【要約】【課題】本発明は、電子機器の操作性を阻害しないラッチ機構を備えた電子機器を提供する。【解決手段】パーソナルコンピュータ１は、表示パネル２と本体３と係合部材１２と係止部１３とを備える。表示パネル２は、表示面２ａを本体３に向けて重ね合わせた第１状態と、背面２ｂを本体３に向けて重ね合わせた第２状態との間で回動可能にヒンジ機構４で連結する。係合部材１２は、第１状態で表示パネル２の表示面２ａから突出し、第２状態で表示パネル２の背面２ｂから突出する。係止部１３は、第１状態と第２状態において係合部材１２を係止する。【選択図】　　図１
2004005210.tif 000002
【特許請求の範囲】
【請求項１】
第１筐体と、
ヒンジ機構を介して前記第１筐体に連結されるとともに、一方の面を前記第１筐体に向けて重ね合わせた第１状態と他方の面を前記第１筐体に向けて重ね合わせた第２状態との間で回動可能な第２筐体と、
前記第１状態で前記第２筐体の前記一方の面から突出し、前記第２状態で前記第２筐体の前記他方の面から突出する係合部材と、
前記第１筐体に設けられ、前記係合部材が係止される係止部と
を具備することを特徴とする電子機器。
【請求項２】
前記係合部材は、第１爪と第２爪とを有し、
前記第１爪が前記第２筐体の一方の面から突出している場合に前記第２爪が前記第２筐体に収容され、
前記第２爪が前記第２筐体の他方の面から突出している場合に前記第１爪が前記第２筐体に収容されることを特徴とする請求項１記載の電子機器。
【請求項３】
前記第２筐体は、前記第１爪または前記第２爪の一方が前記第１筐体から突出した状態に前記係合部材を保持する固定部材を備えることを特徴とする請求項２記載の電子機器。
【請求項４】
前記第１筐体は上面および下面を有し、
前記ヒンジ機構は、平行な２つのヒンジ軸を有し、
前記２つのヒンジ軸を介して、前記第２筐体の一方の面は、前記第１状態で前記第１筐体の上面と対向し、前記第２筐体の他方の面は、前記第２状態で前記第１筐体の下面と対向することを特徴とする請求項１記載の電子機器。
【請求項５】
前記係止部は、　前記第２筐体が前記第１状態または第２状態の何れにおいても前記係合部材を係止することを特徴とする請求項４記載の電子機器。
【請求項６】
前記ヒンジ機構は、前記第２筐体を前記第１筐体に対して立て起す回動軸と、前記第２筐体を前記第１筐体に対して立て起した状態で旋回させる旋回軸とを備えることを特徴とする請求項１記載の電子機器。
【請求項７】
本体と、
表示パネルと、
前記表示パネルを前記本体に連結するとともに、前記表示パネルを前記本体に対して立て起す回動軸と、前記表示パネルを前記本体に対して立て起した状態で旋回させる旋回軸とを有するヒンジ機構と、
前記本体に設けられる係止部と、
前記表示パネルに設けられ、前記表示パネルの表示面または背面から選択的に突出可能であるとともに、前記表示パネルが前記本体に重ね合わされた状態において前記係止部に係止される係合部材と、
を具備することを特徴とする電子機器。
【請求項８】
前記表示パネルは、前記表示面に設けられた第１穴と前記背面に設けられた第２穴とを有し、
前記係合部材は選択的に前記第１穴または第２穴を介して突出することを特徴とする請求項７記載の電子機器。
【請求項９】
前記係合部材は前記第１穴から突出する第１爪と前記第２穴から突出する第２爪とを有していることを特徴とする請求項８記載の電子機器。
【請求項１０】
前記１爪が前記第１穴から突出するとき前記第２爪は前記表示パネルに退避し、前記第２爪が前記第２穴から突出するとき前記第１爪は前記表示パネルに退避することを特徴とする請求項９記載の電子機器。
【発明の詳細な説明】
【０００１】
【発明の属する技術分野】
本発明は、ヒンジ部で折り曲げられる一対の筐体を重ね合わせた状態で固定できる電子機器に関する。
【０００２】
【従来の技術】
電子機器は、多方面に渡って使用されるようになってきている。用途に応じた操作性を向上させるために、タッチパネルなどの入力装置を備える電子機器がある。
【０００３】
この電子機器の一例として、特開平１１−３９０５８号で開示されたペン入力型電子機器がある。この電子機器は、本体ケースとカバーとを有している。本体とカバーとは、ヒンジで連結されている。本体ケースには、プリント基板などの回路部が収容されている。カバーには、表示部とタッチパネルとが組み込まれている。タッチパネルを操作するために、カバーは、ヒンジによって本体ケース上で立て起こされ、さらに立て起こされた状態で反転された後、タッチパネルが外側に向いた状態となるように本体ケース上に戻される。
【０００４】
本体ケースとカバーは、表示画面を本体ケースに面する内側に向けて重ね合わせた状態と外側に向けて重ね合わせた状態とのそれぞれにおいて、固定されるようにラッチとラッチ穴が設けられている。ラッチは、本体ケースに組み込まれ、ラッチノブによって操作される。ラッチ穴は、ラッチに対応させてカバーの両面に開口している。
【０００５】
【発明が解決しようとする課題】
しかしながら、特開平１１−３９０５８号で開示されている電子機器によれば、タッチパネルによって入力操作されることが前提となっている。また、ラッチは、カバーに設けられたラッチ穴にはまり込むように本体ケースから突出している。したがって、パーソナルコンピュータなどキーボードを備える電子機器に応用した場合、カバーを本体ケースの上に立て起した状態では、ラッチが本体ケースから突出している状態となるので、キーボードを操作し辛い。
【０００６】
また、この電子機器は、非使用状態と使用状態とでカバーを回動反転し、本体ケースとカバーとを重ねた状態で使用する。ラッチは、常時突出した構造であるため、カバーに設けることができない。
【０００７】
そこで、本発明は、電子機器の操作性を阻害しないラッチ機構を備えた電子機器を提供することを目的とする。
【０００８】
【課題を解決するための手段】
本発明に係る電子機器は、第１筐体と第２筐体と係合部材と係止部とを備える。第２筐体は、一方の面を第１筐体に向けて重ね合わせた第１状態と、他方の面を第１筐体に向けて重ね合わせた第２状態との間で回動可能にヒンジ機構で連結する。係合部材は、第１状態で第２筐体の一方の面から突出して第２状態で第２筐体の他方の面から突出する。係止部は、第１状態と第２状態において係合部材を係止する。
【０００９】
【発明の実施の形態】
本発明に係る第１の実施形態は、図１から図９を用いて電子機器の一例であるパーソナルコンピュータ（以下ＰＣとする）１について説明する。図１に示すＰＣ１は、第２筐体としての表示パネル２と、第１筐体としての本体３と、ヒンジ機構４と、ラッチ機構５とを備える。表示パネル２は、液晶ディスプレイなどの表示画面６と、この表示画面６に重ねられたタッチパネル７などの入力装置とを備える。本体３は、上面３ａに露出したキーボード８のほか、ＣＰＵが実装されたプリント基板や、大容量記憶媒体の一例であるハードディスクなどが組み込まれている。
【００１０】
ヒンジ機構４は、連結部材９と、２つの平行なヒンジ軸１０，１１とを備える。連結部材９と表示パネル２とは、一方のヒンジ軸１０によって連結されている。連結部材９と本体３とは、他方のヒンジ軸１１によって連結されている。各ヒンジ軸１０，１１は、回動抵抗を有しており、連結部材９と表示パネル２、および連結部材９と本体３をそれぞれ任意の角度で保持する。ヒンジ機構４は、図２に示すように表示パネル２の表示面２ａを本体３にむけて表示パネル２と本体３を重ねた第１状態から、図１中に示す矢印Ｒの方向に表示パネル２を立て起し、さらにそのまま図３に示すように本体３の底面（下面）３ｂの側へ反転し、本体３の底面３ｂと表示パネル２の背面２ｂとが対面する第２状態まで表示パネル２を回動できるように設けられている。つまり、このヒンジ機構４は、いわゆるダブルヒンジである。
【００１１】
ラッチ機構５は、ヒンジ機構４が設けられた側と反対側に設けられ、係合部材１２と係止部１３とを備える。係合部材１２は、表示パネル２に組み込まれ、係止部１３は、本体３に設けられる。このラッチ機構５の主要な構成を図２中の矢印Ａから見た状態を図４から図７に示す。係合部材１２は、軸１４と、この軸１４から半径方向に伸びる第１爪１５及び第２爪１６を有している。
【００１２】
第１爪１５と第２爪１６は、約９０°の位置関係に配置され、鈍角側、いわゆる外側に向いている。係合部材１２は、軸１４を中心に回動する。第１爪１５が表示パネル２の表示面２ａ側に開口する第１穴１７を通して表示パネル２から露出する場合、第２爪１６は、表示パネル２に収納され、第２爪１６が図２に示す表示パネル２の背面２ｂに開口する第２穴１８を通して表示パネル２から露出する場合、第１爪１５は、表示パネル２に収納される。第１爪１５または第２爪１６が露出する状態は、表示パネル２に沿って移動する固定部材１９によって保持される。
【００１３】
固定部材１９は、表示パネル２の端部に露出するレバー２０によって操作され、コイルスプリング２１によって係合部材１２の方向に付勢されている。図４に示すように固定部材１９は、第１爪１５が露出している状態で、第２爪１６が伸びる方向と反対側の端面１６ａと当たり（図８参照）、図７に示すように第２爪１６が露出している状態で、第１爪１５が伸びる方向と反対側の端面１５ａと当たる（図９参照）。第１爪１５が表示パネル２から露出する状態を第２爪１６が表示パネル２から露出する状態に切換える場合、図５に示すようにレバー２０を操作して固定部材１９を解除し、第１爪１５を表示パネル２に押し込む。第１爪１５を押し込むと第２穴１８から第２爪１６が出てくる。第２爪１６を引き出すと、第１爪１５は、図６に示すように表示パネル２の中に収納される。レバー２０を元に戻すと、係合部材１２は固定され、第２爪１６が表示パネル２から露出した状態となる。
【００１４】
係止部１３は、図４に示すように第１状態で本体３の上面３ａに設けられた穴２２から刺し込まれた第１爪１５と係合し、図７に示すように第２状態で本体３の底面３ｂに設けられた穴２３から刺し込まれた第２爪１６と係合する。係止部１３は、コイルスプリング２４によって、爪に向かって付勢されている。係止部１３は、本体３から露出するレバー２５を操作されることで、各爪１５，１６との係合が解除される。
【００１５】
図２中の矢印Ｂで示す向きに見たラッチ機構５の模式図を図８と図９に示す。図８は、第１状態である。図９は、第２状態である。第１状態では、表示パネル２の表示面２ａと本体３の上面３ａが対面している。第２状態では、表示パネル２の背面２ｂと本体３の底面３ｂが対面しており、表示画面６は、外側を向いている。
【００１６】
以上のように構成されたＰＣ１において、キーボード８で入力する場合、第１の状態からレバー２５を操作してラッチ機構５の係合を解除し、表示パネル２を立て起す。タッチパネル７で入力する場合、ＰＣ１を図８に示す第１状態から図９に示す第２状態に表示パネル２を反転する。ラッチ機構５の係合部材１２は、第１爪１５が露出した状態から第２爪１６が露出した状態に切換える。表示パネル２を本体３の底面３ｂ側に回すと同時に、図３に示すように表示画面６とタッチパネル７が仰向けになるようにＰＣ１全体を反転する。第２状態でラッチ機構５の第２爪１６と係止部１３とを係合させる。
【００１７】
第１状態及び第２状態において、表示パネル２と本体３とは、ラッチ機構５によって固定される。したがって、タッチパネル７を操作するときに表示パネル２ががたつかず、安定した状態で使用することができる。
【００１８】
本発明に係る第２の実施形態は、電子機器の一例であるＰＣ４１について図１０から図１４を用いて説明する。なお、第１の実施形態におけるＰＣ１と同じ構成については、同一の部号を付してその説明を省略する。
【００１９】
図１０に示すように、ＰＣ４１のヒンジ機構４２は、回動軸４３と旋回軸４４とを備える。回動軸４３は、矢印Ｓのように表示パネル２を本体３の上に立て起す。旋回軸４４は、立て起した状態の表示パネル２を矢印Ｔのように反転させる。回動軸４３と旋回軸４４は、それぞれ回転抵抗を有しており、表示パネル２を本体３に対して任意の角度で保持する。
【００２０】
図１１中の矢印Ｃの向きに見た第１状態のラッチ機構４５を図１３に模式的に示す。同じく第２状態のラッチ機構４５を図１４に示す。表示パネル２に組み込まれた係合部材４６は、表示面２ａ側に露出する第１爪４７と背面２ｂ側に露出する第２爪４８を備えている。第１爪４７は、鈍角側、いわゆる外向きに付いている。第２爪４８は、鋭角側、いわゆる内向きに付いている。図１３に示すように固定部材１９は、第１爪４７が露出している状態で、第２爪４８が伸びる方向と反対側の端面４８ａと当たり、図１４に示すように第２爪４８が露出している状態で、第１爪４７が伸びる方向と反対側の端面４８ａと当たる。
【００２１】
第１状態において、第２筐体である表示パネル２の表示面２ａは、図１１に示すように第１筐体である本体３の上面３ａと向かい合う。第２状態において、表示パネル２の背面２ｂは、図１４に示すように本体３の上面３ａと向かい合う。したがって、ラッチ機構４５の係止部４９は、本体３の上面３ａ側から本体３に挿入される爪４７，４８と係合する。
【００２２】
ＰＣ４１がキーボード８入力によって利用される場合、図１１に示す第１状態から、レバー２５を操作してラッチ機構４５の係止部４９を解除し、回動軸４３を中心に表示パネル２を立て起す。タッチパネル７を使用して入力を行う場合、さらに図１０に示すように、旋回軸４４を中心に表示パネル２を旋回させる。そして、図１２に示すように本体３の上面３ａと表示パネル２の背面２ｂとが対面するように表示パネル２を本体３の上に倒す。第２状態になるまでに、第１爪４７を表示パネル２に収納し、第２爪４８を露出させる。第２状態において、第２爪４８と係止部４９が係合することで表示パネル２と本体３とは、固定される。
【００２３】
このように、本実施形態のＰＣ４１は、表示パネル２を反転してタッチパネル７を利用する場合、本体３を裏返さなくてよい。したがって、本体３の内部に収納されたハードディスクなどの駆動部品への負担が少ない。
【００２４】
なお、本発明に係る電子機器は、上記第１及び第２の実施形態で示したパーソナルコンピュータのほかに携帯電話やＰＤＡ（Ｐｅｒｓｏｎａｌ　Ｄｉｇｉｔａｌ　Ａｓｓｉｓｔａｎｔｓ）などの表示画面を備える携帯型の電子機器などであってもよい。
【００２５】
【発明の効果】
本発明の電子機器によれば、第２筐体の一方の面か他方の面いずれか一方に突出する係合部材を有するので、第１筐体に対して第２筐体を反転したときにラッチ機構が外側に突出しない。
【図面の簡単な説明】
【図１】本発明の第１の実施形態に係るパーソナルコンピュータを示す斜視図。
【図２】図１のパーソナルコンピュータの表示パネルと本体とを重ね合わせた第１状態を示す斜視図。
【図３】図１のパーソナルコンピュータの表示パネルを本体の底面側まで反転した状態を示す斜視図。
【図４】図２中の矢印Ａの向きに見るラッチ機構を示す斜視図。
【図５】図４のラッチ機構の係合部材を回転させる状態を示す斜視図。
【図６】図４のラッチ機構の係合部材を回転させ、第２爪を表示パネルより露出させた状態を示す斜視図。
【図７】図４のラッチ機構が第２状態で係合する状態を示す斜視図。
【図８】図２中の矢印Ｂの向きに見る第１状態のラッチ機構を示す略断面図。
【図９】図２中の矢印Ｂの向きに見る第２状態のラッチ機構を示す略断面図。
【図１０】本発明の第２の実施形態に係るパーソナルコンピュータを示す斜視図。
【図１１】図１０のパーソナルコンピュータの表示パネルと本体とを重ね合わせた第１状態を示す斜視図。
【図１２】図１０のパーソナルコンピュータの表示パネルを反転し、本体の上面に戻す状態を示す斜視図。
【図１３】図１１中の矢印Ｃの向きに見る第１状態のラッチ機構を示す略断面図。
【図１４】図１３中の矢印Ｃの向きに見た第２状態のラッチ機構を示す略断面図。
【符号の説明】
１，４１…パーソナルコンピュータ（電子機器）
２…表示パネル（第２筐体）
２ａ…表示面（一方の面）
２ｂ…背面（他方の面）
３…本体（第１筐体）
３ａ…上面（一方の面）
３ｂ…底面（他方の面）
４，４２…ヒンジ機構
５，４５…ラッチ機構
１０，１１…ヒンジ軸
１２，４６…係合部材
１３，４９…係止部
１５，４７…第１爪
１６，４８…第２爪
１９…固定部材
４３…回動軸
４４…旋回軸
【図１】
2004005210.tif 000003
【図２】
2004005210.tif 000004
【図３】
2004005210.tif 000005
【図４】
2004005210.tif 000006
【図５】
2004005210.tif 000007
【図６】
2004005210.tif 000008
【図７】
2004005210.tif 000009
【図８】
2004005210.tif 000010
【図９】
2004005210.tif 000011
【図１０】
2004005210.tif 000012
【図１１】
2004005210.tif 000013
【図１２】
2004005210.tif 000014
【図１３】
2004005210.tif 000015
【図１４】
2004005210.tif 000016